(57)【要約】【課題】居住ゾーンの人数に応じて効果的に空調機を省エネルギ運転できる空調管理システムを提供することを課題とする。【解決手段】空調機と、空調リモコンと、居住ゾーンの室温を設定温度に維持するように空調機を運転する空調コントローラを含む空調管理システムを備える構成とする。空調コントローラは、空調リモコンの温度設定可能範囲の最高設定温度または最低設定温度を居住ゾーンの在室人数に応じて設定し、在室人数が変化して最高設定温度または最低設定温度を変更した場合、設定温度が変更後の最高設定温度より高ければ設定温度を最高設定温度に変更し、変更後の最低設定温度より低ければ設定温度を最低設定温度に変更し、設定温度が変更後の温度設定可能範囲内であれば設定温度を自動的に変更せずそのまま維持する。さらに、空調リモコンは、利用者が温度設定可能範囲を超えて設定温度を変更できないように制限する。【選択図】図１
2011122768.tif 000002
【特許請求の範囲】
【請求項１】
居住ゾーンに配置された空調機と、
前記空調機の利用者の操作に基づいて所定の温度設定可能範囲内で前記空調機に設定温度を設定するリモコンと、
前記居住ゾーンの室温を前記設定温度に維持するように前記空調機を運転する空調コントローラと、を備える空調管理システムであって、
前記リモコンは、前記利用者が前記温度設定可能範囲を超えて前記設定温度を変更できないように制限し、
前記空調コントローラは、前記リモコンに設けられる前記温度設定可能範囲の上限値または下限値を、前記居住ゾーンの在室人数に応じて変更するとともに、
前記在室人数が変化して前記上限値または前記下限値が変更された場合に、前記設定温度が変更後の前記上限値より高いときには前記設定温度を変更後の前記上限値に変更し、前記設定温度が変更後の前記下限値より低いときには前記設定温度を変更後の前記下限値に変更し、前記設定温度が変更後の前記温度設定可能範囲内であるときには前記設定温度をそのまま維持することを特徴とする空調管理システム。
【請求項２】
前記利用者の前記居住ゾーンへの入退室情報に基づいて前記在室人数を算出して前記空調コントローラに通知する入退室管理コントローラを備え、
前記空調コントローラは、前記入退室管理コントローラから通知された前記在室人数に基づいて前記温度設定可能範囲の前記上限値または前記下限値を変更することを特徴とする請求項１に記載の空調管理システム。
【請求項３】
前記空調コントローラは、前記空調機を冷房運転する場合、前記在室人数が減ったときは前記下限値を高温側に変更し、前記在室人数が増えたときは前記下限値を低温側に変更することを特徴とする請求項１または請求項２に記載の空調管理システム。
【請求項４】
前記空調コントローラは、前記空調機を暖房運転する場合、前記在室人数が減ったときは前記上限値を高温側に変更し、前記在室人数が増えたときは前記上限値を低温側に変更することを特徴とする請求項１から請求項３の何れか１項に記載の空調管理システム。
【請求項５】
前記リモコンは、前記空調コントローラによって前記設定温度が変更された場合に、変更後の設定温度を表示することを特徴とする請求項１から請求項４の何れか１項に記載の空調管理システム。
【請求項６】
前記リモコンは、前記利用者が前記温度設定可能範囲を超えて前記設定温度を変更しようとした場合に、前記利用者に警告することを特徴とする請求項１から請求項５の何れか１項に記載の空調管理システム。
【発明の詳細な説明】
【技術分野】
【０００１】
本発明は、居住ゾーンへの入退室管理システムと連動して居住ゾーンの空調を管理する空調管理システムに関する。
【背景技術】
【０００２】
従来、ビル等、人が居住するゾーン（居住ゾーン）を有する建造物を管理するため、居住ゾーンへの人の入退室を管理する入退室管理システムや、居住ゾーンの空調を管理する空調管理システムが知られている。
居住ゾーンへの入退室管理システムとしては、例えば、カードリーダで読み取った個人情報に基づいて入室可否を判断するシステムや、アンチパスバックシステム（入室情報がない場合に、退室許可されないシステム）が知られている。
さらに、居住ゾーンへの入室情報に基づいて居住ゾーンの在室人数や在室時間を管理する入退室管理システムも知られている。
【０００３】
また、空調管理システムとしては、例えば、複数の居住ゾーンに個別に備わる空調機を中央監視装置で集中制御し、各居住ゾーンの温度等を管理するシステムが知られている。
このような空調管理システムでは、居住ゾーンの温度を、利用者が例えばリモコンを使用して空調機に設定する設定温度に維持するように空調コントローラが各空調機を制御している。
さらに、近年は、空調管理システムにも省エネルギが要求されることから、例えば、特許文献１には、セーブ運転スイッチの操作によって温度設定可能範囲に上限値と下限値を設定することができ、利用者が、暖房運転時には居住ゾーンの温度を高めに設定できず冷房運転時には低めに設定できないようにして空調機を省エネルギ運転する技術が開示されている。
【０００４】
また、例えば特許文献２には、ゾーン（居住ゾーン）内の人数（居住人数）に応じて当該ゾーンの温度を制御する技術が開示されている。特許文献２に開示される技術によると、ゾーン内の在室人数が多いときには強めの空調とし、ゾーン内の人数が少ないときには弱めの空調とすることで、特にゾーン内の人数が少ないときに空調機を省エネルギ運転することができる。
【０００５】
また、例えば特許文献３には、室外の温度と室内の温度に基づいて設定温度に制限を加えて空調機の運転を制御する技術が開示されている。特許文献３に開示される技術によると、室外及び室内の温度に基づいて、空調が最低限必要となる環境を判定できる。したがって、空調が必要な環境で空調機を運転することで、省エネルギの効果を高めることができる。
【先行技術文献】
【特許文献】
【０００６】
【特許文献１】特開２００２−６１９３２号公報
【特許文献２】特開２００９−２４４０４号公報
【特許文献３】特開２００３−２７９１１２号公報
【発明の概要】
【発明が解決しようとする課題】
【０００７】
しかしながら、例えば特許文献２に開示される技術では、ゾーンの人数が多いときはゾーン内の利用者が操作しなくても（利用者が空調を強めることを必要としない場合も）自動的に空調を強めにすることから、ゾーンの人数が多いときは、空調機を効果的に省エネルギ運転できないという問題がある。
また、温度設定の範囲に制限を加えることができないため、利用者が強めの空調になるように温度設定すると、省エネルギ運転できなくなるという問題がある。
また、例えば特許文献１、３に開示される技術では、居住ゾーンの在室人数によらず空調機が制御されるため、居住ゾーンの在室人数が少なくて空調機を弱めに運転できる場合であっても周囲温度によっては空調機を強めに運転することがあり、空調機を効果的に省エネルギ運転できないという問題がある。
【０００８】
そこで、本発明は、居住ゾーンの人数に応じて効果的に空調機を省エネルギ運転できる空調管理システムを提供することを課題とする。
【課題を解決するための手段】
【０００９】
前記課題を解決するため、本発明は、居住ゾーンの在室人数に基づいて、設定温度の設定に使用されるリモコンに設けられる温度設定可能範囲を変更し、さらに、温度設定可能範囲が変更された場合には、空調機に設定された設定温度が変更後の温度設定可能範囲の上限値より高い場合は設定温度を変更後の上限値に変更し、設定温度が変更後の温度設定可能範囲の下限値より低い場合は設定温度を変更後の下限値に変更し、設定温度が変更後の温度設定可能範囲内の場合は設定温度をそのまま維持する空調管理システムとする。
また、利用者が温度設定可能範囲を超えて設定温度を変更できないように、リモコンが制限する空調管理システムとする。
【発明の効果】
【００１０】
本発明によると、居住ゾーンの人数に応じて効果的に空調機を省エネルギ運転できる空調管理システムを提供できる。
【図面の簡単な説明】
【００１１】
【図１】本発明の空調管理システムを組み込む総合管理システムの一構成例を示す図である。
【図２】居住ゾーンの配置と、居住ゾーンに備わる空調機及びカードリーダを示す図である。
【図３】割り当て情報の構成を示す図であり、（ａ）はカードリーダ割り当て情報の構成を示す図、（ｂ）は空調機割り当て情報の構成を示す図である。
【図４】本発明の温度管理マップの構成を示す図である。
【図５】本発明の設定温度変更手順を示すフローチャートである。
【図６】本発明の温度管理マップの管理番号を設定する手順を示すフローチャートである。
【発明を実施するための形態】
【００１２】
以下、本発明の実施形態について、適宜図を参照して詳細に説明する。
図１は、本発明の空調管理システムを組み込む総合管理システムの一構成例を示す図である。図１に示すように、本実施形態に係る空調管理システム１は、ビル等の建造物（以下、建造物と称する）を総合的に管理する総合管理システム１００に、入退室管理システム２とともに組み込まれている。
なお、総合管理システム１００には、建造物の空調管理システム１、入退室管理システム２のほか、いずれも図示しない照明設備、防犯防災設備、昇降設備等を制御するための制御システムが組み込まれていてもよい。
【００１３】
空調管理システム１は、中央監視装置１０、空調コントローラ１２、空調機１４、及び空調リモコン１５（リモコン）を備えて構成される。
空調機１４は、運転モードとして冷房運転と暖房運転が可能に構成され、利用者が居住して温度管理するゾーン（以下、居住ゾーンＺｏと称する）に配設される。そして、空調機１４は、空調コントローラ１２からの制御信号（指令）に応じて冷房運転と暖房運転が切り替わるように運転され、冷気又は暖気を吐き出して居住ゾーンＺｏの温度（室温）を調節する。
また、空調リモコン１５は、例えば空調機１４を介して空調コントローラ１２とデータを互いに送受信可能に構成され、利用者は空調リモコン１５を操作して居住ゾーンＺｏごとに空調機１４の設定温度を設定できるように構成される。
【００１４】
さらに、空調リモコン１５は、利用者が所定の温度設定可能範囲を超えて設定温度を変更できないように制限する機能を有し、利用者の操作に基づいて温度設定可能範囲内で空調機１４に設定温度を設定する。
なお、温度設定可能範囲は空調管理システム１の空調リモコン１５に設けられ、利用者は、温度設定可能範囲内で設定温度を設定できる。
【００１５】
例えば、利用者が温度設定可能範囲内の設定温度を空調機１４に設定しようと空調リモコン１５を操作した場合、空調リモコン１５は空調コントローラ１２に設定温度の情報を送信し、利用者が温度設定可能範囲を超えた設定温度を空調機１４に設定しようと空調リモコン１５を操作した場合、空調リモコン１５は空調コントローラ１２に設定温度の情報を送信しないように構成される。
なお、利用者が温度設定可能範囲を超えた設定温度を空調機１４に設定しようと空調リモコン１５を操作したとき、空調リモコン１５が警告音や警告灯で利用者に警告する構成としてもよい。
【００１６】
さらに、空調リモコン１５は、例えば空調機１４を介して空調コントローラ１２から送信されるデータを受信可能に構成される。
そして、空調コントローラ１２は空調機１４を介して、必要なデータを空調リモコン１５に送信可能に構成される。
このような構成によると、例えば、空調コントローラ１２が有する情報（例えば空調機１４に備わる図示しない温度検出装置が検出する居住ゾーンＺｏの室温や設定温度等）を空調機１４を介して空調リモコン１５に送信できる。
そして、空調リモコン１５は、居住ゾーンＺｏの室温や設定温度等の情報を取得できる。
さらに、空調リモコン１５に液晶表示装置などの情報表示機能が備わる構成とすれば、空調コントローラ１２から受信したデータ（居住ゾーンＺｏの室温や設定温度等）を情報として表示することができ、利用者は、これらの情報を空調リモコン１５の表示によって確認できる。
【００１７】
なお、空調リモコン１５は、例えば空調機１４と通信ケーブル等で接続される有線タイプのリモコンであってもよいし、電波、赤外線等を利用するワイヤレスタイプのリモコンであってもよい。
また、空調機１４は、天井部への埋設、壁部への取り付け、床上への設置などによって居住ゾーンＺｏに配設される。
また、１つの居住ゾーンＺｏに複数の空調機１４が配設される構成であってもよく、１つの居住ゾーンＺｏに１つの空調リモコン１５が備わる構成であってもよいし、１つの空調機１４に１つの空調リモコン１５が備わる構成であってもよい。
【００１８】
空調機１４と空調コントローラ１２とは専用の伝送線１３を介して接続され、空調コントローラ１２は、利用者が空調リモコン１５等で空調機１４に設定した設定温度や、例えば空調機１４が検出する居住ゾーンＺｏの室温等の情報を取得できるように構成される。
【００１９】
空調コントローラ１２は、空調機１４に設定される設定温度、室温等に基づいて生成する制御信号を伝送線１３を介して空調機１４に送信し、居住ゾーンＺｏの室温を設定温度に維持するように空調機１４を運転する。
なお、空調コントローラ１２に複数の空調機１４が接続される場合、空調コントローラ１２は各空調機１４を独立に運転できる構成とする。
【００２０】
中央監視装置１０は、例えば、ＬＡＮ（Local Area Network）１１を介して空調コントローラ１２と接続されて空調管理システム１を統合的に管理する装置で、例えばパーソナルコンピュータで構成されて建造物の管理人室等に設置される。
中央監視装置１０は、空調コントローラ１２が有する空調管理システム１の動作状態等の情報を表示する機能や、例えば管理人の操作で空調管理システム１の設定を変更する機能を有する。
なお、中央監視装置１０に、複数の空調コントローラ１２が接続される構成であってもよい。
【００２１】
入退室管理システム２は、居住ゾーンＺｏの出入口２６に備わる入退室情報読取装置（カードリーダ２４）、出入口２６を施錠する電気錠２６ａ、入退室管理コントローラ２２、及び中央監視装置２０を備えて構成される。
電気錠２６ａは、例えば入退室管理コントローラ２２からの制御信号によって動作し、出入口２６を開錠及び施錠する。そのため、電気錠２６ａと入退室管理コントローラ２２は図示しない制御線で接続されている。
【００２２】
カードリーダ２４は、居住ゾーンＺｏの外側に備わる入室用カードリーダ２４ｉと、居住ゾーンＺｏの内側に備わる退室用カードリーダ２４ｏを含んで構成され、専用の伝送線２３を介して入退室管理コントローラ２２と接続される。
【００２３】
入室用カードリーダ２４ｉは、居住ゾーンＺｏへの入室を希望する利用者が所持する、例えばＩＤカードに記録されている個人情報を読み取り、伝送線２３を介して入退室管理コントローラ２２に伝送する。
入退室管理コントローラ２２は入室用カードリーダ２４ｉから伝送される個人情報に基づいて、当該個人情報を有する利用者の居住ゾーンＺｏへの入室可否を判定し、居住ゾーンＺｏへの入室を許可すると判定した場合は、出入口２６の電気錠２６ａを開錠する。
【００２４】
なお、個人情報は、利用者ごとに一意に割り当てられた個人ＩＤや、利用者が所持している例えばＩＤカードに一意に割り当てられたカードＩＤがその一例である。
【００２５】
例えば入退室管理コントローラ２２は、入室用カードリーダ２４ｉから伝送される個人情報が、居住ゾーンＺｏに入室可能な利用者の個人情報として予め登録されている個人情報と一致する場合に入室可と判定するように構成される。
さらに、入退室管理コントローラ２２は、入室可と判定した利用者の個人情報に入室情報を対応付けて入退室を管理するテーブルに登録する。
【００２６】
退室用カードリーダ２４ｏは、居住ゾーンＺｏから退室する利用者が所持する、例えばＩＤカードに記録されている個人情報を読み取り、伝送線２３を介して入退室管理コントローラ２２に伝送する。
入退室管理コントローラ２２は電気錠２６ａを開錠し、退室用カードリーダ２４ｏから伝送された個人情報に退室情報を対応付けて入退室を管理するテーブルに登録する。
【００２７】
以上のように、カードリーダ２４から伝送される個人情報に入室情報と退室情報を対応付けて入退室を管理するテーブルに登録することで、入退室管理コントローラ２２は、個人情報を入退室情報として利用することができ、当該個人情報を有する利用者の居住ゾーンＺｏへの入退室を管理することができる。
【００２８】
なお、アンチパスバック機能を備える入退室管理システム２の場合、入退室管理コントローラ２２は、入室情報を登録した個人情報以外の個人情報が退室用カードリーダ２４ｏから伝送されたとき、つまり、退室用カードリーダ２４ｏから伝送された個人情報での入室履歴がないときに、不正入室者と判定して電気錠２６ａを開錠せず警告を発するような構成であってもよい。
【００２９】
また、入退室情報読取装置となるカードリーダ２４は限定されるものではなく、例えば非接触型のＩＣカードリーダでもよい。この場合、利用者の個人情報が記録されるＩＤカードは、非接触型のＩＣカードになる。
また、入退室情報読取装置はカードリーダ２４ではなく、指紋などの生体情報を読み取るセンサであってもよい。この場合、指紋などの生体情報が利用者の個人情報になる。
【００３０】
中央監視装置２０は、例えば、ＬＡＮ２１を介して入退室管理コントローラ２２と接続されて入退室管理システム２を統合的に管理する装置で、例えばパーソナルコンピュータで構成されて建造物の管理人室等に設置される。
中央監視装置２０は、入退室コントローラ２２が有する情報を表示する機能や、例えば管理人の操作で入退室管理システム２の設定を変更する機能を有する。
入退室管理コントローラ２２が有する情報は、例えば、居住ゾーンＺｏに入室可能な利用者の個人情報、居住ゾーンＺｏに入室を許可した利用者の個人情報などを含んでいる。
なお、中央監視装置２０には、複数の入退室管理コントローラ２２が接続される構成であってもよい。
また、空調管理システム１の中央監視装置１０と入退室管理システム２の中央監視装置２０を一体の機器（例えば、パーソナルコンピュータ）としてもよい。
【００３１】
さらに本実施形態に係る総合管理システム１００においては、空調コントローラ１２と入退室管理コントローラ２２が専用の接続線３で接続され、互いに情報を送受信できるように構成されている。
さらに、入退室管理コントローラ２２は、例えば、入室記録が登録されている個人情報の数を計測することで居住ゾーンＺｏに在室している利用者の人数（在室人数）を算出する。つまり、入退室管理コントローラ２２は、個人情報を入退室情報として利用し、入退室情報に基づいて居住ゾーンＺｏの在室人数を算出する。
そして、入退室管理コントローラ２２は算出した在室人数を、接続線３を介して空調コントローラ１２に通知する機能を有することが好適である。
この構成によって、空調コントローラ１２は、居住ゾーンＺｏの在室人数を検知できる。
【００３２】
図２は、居住ゾーンの配置と、居住ゾーンに備わる空調機及びカードリーダを示す図である。本実施形態に係る総合管理システム１００は、図２に示すように、複数の居住ゾーンＺｏ（図２には、太線で区切られた第１居住ゾーンＺｏ１、第２居住ゾーンＺｏ２、第３居住ゾーンＺｏ３の３つを例示）を有する建造物を管理可能に構成される。
複数の居住ゾーンＺｏの配置は限定されるものではないが、図２に一例を示すように、第１居住ゾーンＺｏ１と第２居住ゾーンＺｏ２が隣接し、第３居住ゾーンＺｏ３が第１居住ゾーンＺｏ１及び第２居住ゾーンＺｏ２と、廊下１０１を挟んで配置される。
なお、居住ゾーンＺｏの数は３つに限定されるものではない。また、１つの階ではなく複数の階（例えば１階と２階）にまたがって配置されていてもよい。
【００３３】
図２に示す一例によると、第１居住ゾーンＺｏ１には、廊下１０１との間に第１出入口２６１が配置され、第１出入口２６１には入退室情報読取装置としての第１カードリーダ２４１が備わっている。そして、１つの第１空調機１４１が備わっている。
【００３４】
第２居住ゾーンＺｏ２には、廊下１０１との間に第２出入口２６２が配置され、第２出入口２６２には入退室情報読取装置としての第２カードリーダ２４２が備わっている。そして、１つの第２空調機１４２が備わっている。
さらに、第２出入口２６２とは別の第３出入口２６３が配置される場合、第３出入口２６３には第３カードリーダ２４３が備わる。
【００３５】
第３居住ゾーンＺｏ３には、廊下１０１との間に第４出入口２６４、第５出入口２６５が配置され、それぞれの出入口２６４、２６５には入退室情報読取装置としての第４カードリーダ２４４、第５カードリーダ２４５が備わっている。そして、第３空調機１４３、第４空調機１４４、第５空調機１４５、第６空調機１４６が備わっている。
さらに、２つの出入口２６４、２６５とは別の第６出入口２６６が配置される場合には、第６出入口２６６に第６カードリーダ２４６が備わる。
【００３６】
なお、図示はしないが、第１カードリーダ２４１〜第６カードリーダ２４６は、それぞれ入室用カードリーダと退室用カードリーダとを含んで構成されている。
また、図示はしないが、廊下１０１の温度管理をするための空調機１４が備わっていてもよい。
【００３７】
第１居住ゾーンＺｏ１の第１空調機１４１、第２居住ゾーンＺｏ２の第２空調機１４２、及び第３居住ゾーンＺｏ３の第３空調機１４３〜第６空調機１４６は、それぞれ伝送線１３を介して空調コントローラ１２と接続される。
また、第１居住ゾーンＺｏ１の第１カードリーダ２４１、第２居住ゾーンＺｏ２の第２カードリーダ２４２と第３カードリーダ２４３、及び第３居住ゾーンＺｏ３の第４カードリーダ２４４〜第６カードリーダ２４６は、それぞれ伝送線２３を介して入退室管理コントローラ２２と接続される。
【００３８】
図３は、割り当て情報の構成を示す図であり、（ａ）はカードリーダ割り当て情報の構成を示す図、（ｂ）は空調機割り当て情報の構成を示す図である。入退室管理コントローラ２２は、例えば図３の（ａ）に示すように、第１居住ゾーンＺｏ１〜第３居住ゾーンＺｏ３に配置される第１カードリーダ２４１〜第６カードリーダ２４６の割り当て情報（カードリーダ割り当て情報）を有し、各カードリーダ２４から伝送される個人情報と居住ゾーンＺｏとを関連付ける。そして、各カードリーダ２４から伝送される個人情報に基づいて居住ゾーンＺｏごとに利用者の入退室を管理する。
入退室管理コントローラ２２は、例えば、第１カードリーダ２４１から伝送される個人情報に基づいて、第１居住ゾーンＺｏ１への利用者の入退室を管理し、第２カードリーダ２４２及び第３カードリーダ２４３から伝送される個人情報に基づいて、第２居住ゾーンＺｏ２への利用者の入退室を管理する。
【００３９】
さらに入退室管理コントローラ２２は、在室人数を居住ゾーンＺｏごとに算出可能に構成される。
具体的に、入退室管理コントローラ２２は、入室記録を付した個人情報の数を居住ゾーンＺｏごとに計測して、在室人数を居住ゾーンＺｏごとに算出する。
そして、算出した各居住ゾーンＺｏの在室人数を、接続線３（図２参照）を介して空調コントローラ１２（図２参照）に通知する。
この構成によって、空調コントローラ１２は居住ゾーンＺｏごとに在室人数を検知できる。
【００４０】
カードリーダ２４（図２参照）の割り当ては、入退室管理コントローラ２２（図２参照）が管理する居住ゾーンＺｏ（図２参照）の配置等に応じて適宜設定変更可能であることが好適であり、この場合、図３の（ａ）に示すカードリーダ割り当て情報は、例えば管理人が中央監視装置２０（図１参照）で変更可能に構成されることが好適である。
【００４１】
空調コントローラ１２は、例えば図３の（ｂ）に示すように、第１居住ゾーンＺｏ１〜第３居住ゾーンＺｏ３に配置される第１空調機１４１〜第６空調機１４６の割り当て情報（空調機割り当て情報）を有し、各空調機１４と居住ゾーンＺｏとを関連付ける。
そして、各居住ゾーンＺｏに配置される空調機１４ごとに制御信号を送信して、各居住ゾーンＺｏの室温を、利用者が各居住ゾーンＺｏごとに空調機１４に設定した設定温度に維持するように各空調機１４を制御する。
空調コントローラ１２は、例えば、第１空調機１４１を制御して第１居住ゾーンＺｏ１を温度管理し、第３空調機１４３〜第６空調機１４６を制御して第３居住ゾーンＺｏ３を温度管理する。
【００４２】
空調機１４（図２参照）の割り当ては、空調コントローラ１２（図２参照）が管理する居住ゾーンＺｏ（図２参照）の配置等に応じて適宜設定変更可能であることが好適であり、この場合、図３の（ｂ）に示す空調機割り当て情報は、例えば管理人が中央監視装置１０（図１参照）で変更可能に構成されることが好適である。
【００４３】
さらに、本実施形態に係る空調コントローラ１２（図１参照）は、居住ゾーンＺｏごとに居住ゾーンＺｏの在室人数に基づいて、空調リモコン１５（図１参照）に設けられる温度設定可能範囲の最高設定温度（上限値）または最低設定温度（下限値）を変更可能に構成される。
つまり、空調コントローラ１２は、居住ゾーンＺｏの在室人数の変化に応じて、空調リモコン１５に設けられる温度設定可能範囲を変更可能に構成される。
そして、利用者は、空調リモコン１５を操作して温度設定可能範囲内で空調機１４（図１参照）に設定温度を設定可能な構成とする。
このため、空調リモコン１５は、利用者が温度設定可能範囲を超えて設定温度を設定できないように制限する機能を有する。
【００４４】
空調コントローラ１２は、空調機１４を冷房運転する時は温度設定可能範囲の最低設定温度（下限値）を居住ゾーンＺｏの在室人数に応じて適宜設定し、暖房運転する時は温度設定可能範囲の最高設定温度（上限値）を居住ゾーンＺｏの在室人数に応じて適宜設定することで、在室人数の変化に応じて温度設定可能範囲を変更する。
そして、変更した後の下限値または上限値を空調機１４を介して空調リモコン１５に情報として送信する。
そのため、空調コントローラ１２は、例えば、図４に示すような「温度管理マップ」（所定のマップ）を有し、運転モード（冷房運転か暖房運転か）と各居住ゾーンＺｏの在室人数に基づいて温度管理マップを参照して運転モードに応じた最高設定温度または最低設定温度を設定する。
【００４５】
具体的に、空調コントローラ１２（図１参照）は、入退室管理コントローラ２２（図１参照）から通知される居住ゾーンＺｏ（図１参照）の在室人数に基づいて温度管理マップを参照する。そして、空調機１４を冷房運転するときは在室人数に応じて居住ゾーンＺｏごとに最低設定温度（下限値）を設定し、暖房運転するときは在室人数に応じて各居住ゾーンＺｏごとに最高設定温度（上限値）を設定する。
【００４６】
そして、空調コントローラ１２（図１参照）は、居住ゾーンＺｏ（図１参照）の在室人数に応じて最低設定温度または最高設定温度を設定した後、設定した最低設定温度または最高設定温度を空調リモコン１５（図１参照）に情報として送信する。
空調リモコン１５は、空調コントローラ１２から送信された最低設定温度または最高設定温度を新たな最低設定温度または最高設定温度に変更して、温度設定可能範囲を変更する。
このように空調コントローラ１２は、居住ゾーンＺｏの在室人数が変化した場合、在室人数に応じて設定する最低設定温度または最高設定温度を空調リモコン１５に情報として送信して、空調リモコン１５に設けられる温度設定可能範囲を変更する。
【００４７】
図４に示す一例では、温度管理マップは在室人数に基づいた６つの区分を有し、在室人数の少ない順に管理番号１〜６が付されている。
そして、管理番号ごとに、冷房運転時の最低設定温度と暖房運転時の最高設定温度が決められている。
【００４８】
管理番号１は、在室人数が最も少ない０人以上３人以下（０〜３人と表記）の区分を示し、冷房運転時の最低設定温度が２８℃で、暖房運転時の最高設定温度が２５℃になっている。
そして、空調リモコン１５（図１参照）は、冷房運転時には、利用者が２８℃より低い設定温度を空調機１４（図１参照）に設定できないように制限し、暖房運転時には、利用者が２５℃より高い設定温度を空調機１４に設定できないように制限する。
【００４９】
また、管理番号６は、在室人数が最も多い２０人以上（２０人〜と表記）の区分を示し、冷房運転時の最低設定温度が２３℃で、暖房運転時の最高設定温度が２０℃になっている。
そして、空調リモコン１５（図１参照）は、冷房運転時には、利用者が２３℃より低い設定温度を空調機１４（図１参照）に設定できないように制限し、暖房運転時には、利用者が２０℃より高い設定温度を空調機１４に設定できないように制限する。
管理番号２〜５は、図４に示す在室人数の区分を示し、それぞれの区分ごとに、冷房運転時の最低設定温度と暖房運転時の最高設定温度が決められている。
【００５０】
例えば、空調コントローラ１２（図１参照）は空調機１４（図１参照）を冷房運転している場合、居住ゾーンＺｏ（図１参照）の在室人数が変化したときは図４に示す温度管理マップを参照して、在室人数に応じた最低設定温度を設定し、設定した最低設定温度を空調機１４を介して空調リモコン１５（図１参照）に送信する。
空調リモコン１５は、空調コントローラ１２から送信された最低設定温度を新たな最低設定温度に変更するとともに、利用者が、変更後の最低設定温度より低い設定温度を空調機１４に設定できないように制限する。
【００５１】
また、空調コントローラ１２（図１参照）は空調機１４（図１参照）を暖房運転している場合、居住ゾーンＺｏ（図１参照）の在室人数が変化したときは図４に示す温度管理マップを参照して、在室人数に応じた最高設定温度を設定し、設定した最高設定温度を空調機１４を介して空調リモコン１５（図１参照）に送信する。
空調リモコン１５は、空調コントローラ１２から送信された最高設定温度を新たな最高設定温度に変更するとともに、利用者が、変更後の最高設定温度より高い設定温度を空調機１４に設定できないように制限する。
【００５２】
在室人数が多い状態は、人の熱気によって居住ゾーンＺｏ（図１参照）が暖められやすい状態といえる。したがって、空調機１４（図１参照）が冷房運転するときは在室人数が多いほど高い冷房能力が必要となって消費するエネルギが多くなる。
換言すると、在室人数が少ないとき、空調機１４は高い冷房能力を必要とせず、低い冷房能力で冷房運転することができ、消費するエネルギを抑えることができる。したがって、温度管理マップは在室人数が少ない区分の最低設定温度を高めにして、空調コントローラ１２（図１参照）が空調機１４を低い冷房能力で運転する構成として省エネルギの効果を高める。
【００５３】
そこで、図４に示すように、温度管理マップは、在室人数が最も少ない管理番号１の区分の冷房運転時の最低設定温度を最も高くする。
そして、在室人数が増えるにしたがって最低設定温度を低くし、空調コントローラ１２（図１参照）が高い冷房能力で空調機１４を運転することを可能として居住ゾーンＺｏを快適な温度に維持できるようにしている。
【００５４】
一方、空調機１４（図１参照）が暖房運転するときに在室人数が多い状態は、空調機１４に高い暖房能力を必要とせず、消費するエネルギを抑えられる低い暖房能力で居住ゾーンＺｏ（図１参照）を暖房できる状態といえる。したがって、温度管理マップは在室人数が多い区分の最高設定温度を低めにして、空調コントローラ１２（図１参照）が空調機１４を低い暖房能力で運転する構成として省エネルギの効果を高める。
そこで、図４に示すように、温度管理マップは、在室人数が最も多い管理番号６の区分の暖房運転時の最高設定温度を最も低くする。
【００５５】
また、居住ゾーンＺｏ（図１参照）の在室人数が少ない場合、人の熱気による暖房効果が小さいことから、空調機１４（図１参照）には高い暖房能力が必要になる。
そこで、在室人数が減るにしたがって最高設定温度を高くし、空調コントローラ１２（図１参照）が高い暖房能力で空調機１４を運転することを可能として居住ゾーンＺｏを快適な温度に維持できるようにしている。
【００５６】
なお、空調管理システム１（図１参照）には、機器の性能としての設定可能な最高限界温度（高温側）と最低限界温度（低温側）があり、空調機１４（図１参照）が冷房運転するときの温度設定可能範囲の最高設定温度（上限値）は当該最高限界温度とし、空調機１４が暖房運転するときの温度設定可能範囲の最低設定温度（下限値）は当該最低限界温度とすればよい。
【００５７】
このように本実施形態に係る温度管理マップは、図４に示すように、居住ゾーンＺｏ（図１参照）の在室人数に応じて冷房運転時の最低設定温度（下限値）と暖房運転時の最高設定温度（上限値）が決められている。
そして、本実施形態に係る空調コントローラ１２（図１参照）は、入退室管理コントローラ２２（図１参照）から通知される居住ゾーンＺｏ（図１参照）の在室人数に基づいて、図４に示す温度管理マップを参照し、居住ゾーンＺｏの在室人数が変化した場合、空調機１４（図１参照）を冷房運転するときには最低設定温度を変更し、暖房運転するときには最高設定温度を変更する。
さらに、空調コントローラ１２は、変更した後の最低設定温度または最高設定温度を、空調リモコン１５（図１参照）に送信する。
【００５８】
すなわち、空調コントローラ１２（図１参照）は、空調機１４（図１参照）を冷房運転するときは下限値（最低設定温度）を居住ゾーンＺｏの在室人数に応じて変更して空調リモコン１５（図１参照）に設けられる温度設定可能範囲を変更し、空調機１４を暖房運転するときは上限値（最高設定温度）を居住ゾーンＺｏの在室人数に応じて変更して空調リモコン１５に設けられる温度設定可能範囲を変更する。
【００５９】
このとき、空調コントローラ１２（図１参照）は、空調機１４（図１参照）を冷房運転している場合、在室人数が減ったときは最低設定温度を高温側に変更し、在室人数が増えたときは最低設定温度を低温側に変更する。
また、空調コントローラ１２は、空調機１４を暖房運転している場合、在室人数が減ったときは最高設定温度を高温側に変更し、在室人数が増えたときは最高設定温度を低温側に変更する。
【００６０】
このように、空調コントローラ１２（図１参照）は居住ゾーンＺｏ（図１参照）の在室人数の変化に応じて図４に示す温度管理マップに基づいて温度設定可能範囲の最高設定温度（上限値）と最低設定温度（下限値）を変更して空調リモコン１５（図１参照）に設けられる温度設定可能範囲を変更する。
【００６１】
また、空調コントローラ１２（図１参照）が温度設定可能範囲を変更した場合、空調機１４（図１参照）に設定されている設定温度が、温度設定可能範囲を超えているとき、空調コントローラ１２は設定温度を自動的に変更する。
例えば、空調コントローラ１２が空調機１４（図１参照）を冷房運転している場合に居住ゾーンＺｏ（図１参照）の在室人数が減って、最低設定温度を高温側に変更したときに設定温度が最低設定温度より低くなると、空調コントローラ１２は設定温度を変更後の最低設定温度に変更する。
一方、設定温度が、温度設定可能範囲内にあるとき、空調コントローラ１２は設定温度を変更せず、そのまま維持する。
【００６２】
なお、空調コントローラ１２（図１参照）が設定温度を変更した場合、変更後の設定温度を空調機１４（図１参照）を介して空調リモコン１５（図１参照）に送信する構成であってもよい。
さらに、空調リモコン１５は空調コントローラ１２から送信された設定温度を液晶表示装置等に表示するように構成されていてもよい。
利用者は、空調リモコン１５が表示する設定温度によって、空調コントローラ１２が変更した設定温度を確認できる。
【００６３】
例えば、居住ゾーンＺｏ（図１参照）の在室人数が４〜７人で、設定温度が２７℃に設定されている状態で空調コントローラ１２（図１参照）が空調機１４（図１参照）を冷房運転している場合、在室人数が０〜３人に減ると、空調コントローラ１２は図４に示す温度管理マップを参照して最低設定温度を２８℃に変更する。
設定温度は２７℃で最低設定温度（２８℃）より低いため、空調コントローラ１２は空調機１４に設定される設定温度を２７℃から２８℃に変更する。
【００６４】
さらに、空調コントローラ１２（図１参照）は、変更した最低設定温度（２８℃）を空調機１４（図１参照）を介して空調リモコン１５（図１参照）に送信する。
そして、空調リモコン１５は、空調コントローラ１２から送信された最低設定温度（２８℃）を新たな最低設定温度に変更して温度設定可能範囲を変更し、利用者が２８℃よりも低い設定温度を空調機１４に設定できないように制限する。
つまり、空調コントローラ１２は、下限値である最低設定温度を２７℃から２８℃に高温側に変更して空調リモコン１５に設けられる温度設定可能範囲を変更し、さらに、空調機１４に設定される設定温度を２７℃から２８℃に変更する。
【００６５】
また、空調コントローラ１２（図１参照）は、居住ゾーンＺｏ（図１参照）の室温を２８℃に維持するように空調機１４（図１参照）を冷房運転する。居住ゾーンＺｏの室温が２７℃の場合、空調コントローラ１２は室温を２８℃まで上昇させるため空調機１４の冷房運転を一時停止（もしくは、非常に低い冷房能力で冷房運転）することになり、省エネルギの効果が向上する。
【００６６】
また、例えば、居住ゾーンＺｏ（図１参照）の在室人数が４〜７人で、設定温度が２７℃に設定されている状態で空調コントローラ１２（図１参照）が空調機１４（図１参照）を冷房運転している場合、在室人数が８〜１１人に増えると、空調コントローラ１２は図４に示す温度管理マップを参照して最低設定温度を２６℃に変更する。
設定温度は２７℃で最低設定温度（２６℃）より高いため、空調コントローラ１２は空調機１４に設定される設定温度を変更せずそのまま維持する。
【００６７】
さらに、空調コントローラ１２（図１参照）は、変更した最低設定温度（２６℃）を空調機１４（図１参照）を介して空調リモコン１５（図１参照）に送信する。
そして、空調リモコン１５は、空調コントローラ１２から送信された最低設定温度（２６℃）を新たな最低設定温度に変更して温度設定可能範囲を変更し、利用者が２６℃よりも低い設定温度を空調機１４に設定できないように制限する。
つまり、空調コントローラ１２は、下限値である最低設定温度を２７℃から２６℃に低温側に変更して空調リモコン１５に設けられる温度設定可能範囲を変更するが、空調機１４に設定されている設定温度は２７℃のまま維持する。すなわち、変更後の温度設定可能範囲が省エネルギ方向とは逆方向に変更された場合は、設定温度が温度設定可能範囲内であるため、自動的には設定温度を変更せず、利用者が操作するまでは設定温度をそのまま維持する。したがって、利用者が空調リモコン１５を使って設定温度を変更するまでの間は省エネルギの効果を得られる。
【００６８】
以上のように、空調コントローラ１２（図１参照）が空調機１４（図１参照）を冷房運転しているときに居住ゾーンＺｏ（図１参照）の在室人数が変化すると、空調コントローラ１２は在室人数に応じて最低設定温度を変更する。そして、設定温度が最低設定温度より低くなると、設定温度を最低設定温度に変更して空調機１４を冷房運転して省エネルギの効果を向上する。さらに、設定温度が変更後の温度設定可能範囲内の場合には設定温度を自動的に変更せずそのまま維持することで、利用者が設定温度を変更するまでの間は更なる省エネルギの効果が得られる。
【００６９】
一方、空調コントローラ１２（図１参照）が空調機１４（図１参照）を暖房運転している場合に居住ゾーンＺｏ（図１参照）の在室人数が増えて、最高設定温度を低温側に変更したときに、設定温度が最高設定温度より高くなると、空調コントローラ１２は設定温度を変更後の最高設定温度に変更する。
この場合も、設定温度が温度設定可能範囲内にあるとき、空調コントローラ１２は設定温度を変更せずそのまま維持する。
【００７０】
例えば、居住ゾーンＺｏ（図１参照）の在室人数が１６〜１９人で、設定温度が２１℃に設定されている状態で空調コントローラ１２（図１参照）が空調機１４（図１参照）を暖房運転している場合、在室人数が２０人以上に増えると、空調コントローラ１２は図４に示す温度管理マップを参照して最高設定温度を２０℃に変更する。
設定温度は２１℃で最高設定温度（２０℃）より高いため、空調コントローラ１２は空調機１４に設定される設定温度を２１℃から２０℃に変更する。
【００７１】
さらに、空調コントローラ１２（図１参照）は、変更した最高設定温度を空調機１４（図１参照）を介して空調リモコン１５（図１参照）に送信する。
そして、空調リモコン１５は、空調コントローラ１２から送信された最高設定温度（２０℃）を新たな最高設定温度に変更して温度設定可能範囲を変更し、利用者が２０℃よりも高い設定温度を空調機１４に設定できないように制限する。
つまり、空調コントローラ１２は、上限値である最高設定温度を２１℃から２０℃に低温側に変更して空調リモコン１５に設けられる温度設定可能範囲を変更し、さらに、空調機１４に設定される設定温度を２１℃から２０℃に変更する。
【００７２】
また、空調コントローラ１２（図１参照）は、居住ゾーンＺｏ（図１参照）の室温を２０℃に維持するように空調機１４（図１参照）を暖房運転する。居住ゾーンＺｏの室温が２１℃の場合、空調コントローラ１２は室温を２０℃まで低下させるため空調機１４の暖房運転を一時停止（もしくは、非常に低い暖房能力で暖房運転）することになり、省エネルギの効果が向上する。
【００７３】
また、例えば、居住ゾーンＺｏ（図１参照）の在室人数が１６〜１９人で、設定温度が２１℃に設定されている状態で空調コントローラ１２（図１参照）が空調機１４（図１参照）を暖房運転している場合、在室人数が１２〜１５人に減ると、空調コントローラ１２は図４に示す温度管理マップを参照して最高設定温度を２２℃に変更する。
設定温度は２１℃で最高設定温度（２２℃）より低いため、空調コントローラ１２は空調機１４に設定される設定温度を変更せずそのまま維持する。
【００７４】
さらに、空調コントローラ１２（図１参照）は、変更した最高設定温度を空調機１４（図１参照）を介して空調リモコン１５（図１参照）に送信する。
そして、空調リモコン１５は、空調コントローラ１２から送信された最高設定温度（２２℃）を新たな最高設定温度に変更して温度設定可能範囲を変更し、利用者が２２℃よりも高い設定温度を空調機１４に設定できないように制限する。
つまり、空調コントローラ１２は、上限値である最高設定温度を２１℃から２２℃に高温側に変更して空調リモコン１５に設けられる温度設定可能範囲を変更するが、空調機１４に設定されている設定温度は２１℃のまま維持する。すなわち、変更後の温度設定可能範囲が省エネルギ方向とは逆方向に変更された場合は、設定温度が温度設定可能範囲内であるため、自動的には設定温度を変更せず、利用者が操作するまでは設定温度をそのまま維持する。したがって、利用者が空調リモコン１５を使って設定温度を変更するまでの間は省エネルギの効果を得られる。
【００７５】
以上のように、空調コントローラ１２（図１参照）が空調機１４（図１参照）を暖房運転しているときに居住ゾーンＺｏ（図１参照）の在室人数が変化すると、空調コントローラ１２は在室人数に応じて最高設定温度を変更する。そして、設定温度が最高設定温度より高くなると、設定温度を最高設定温度に設定して空調機１４を暖房運転し、省エネルギの効果を向上する。さらに、設定温度が変更後の温度設定可能範囲内の場合には設定温度を自動的に変更せずそのまま維持することで、利用者が設定温度を変更するまでの間は更なる省エネルギの効果が得られる。
【００７６】
以上のように、本実施形態に係る空調コントローラ１２（図１参照）は、空調機１４（図１参照）を冷房運転する場合に居住ゾーンＺｏの在室人数の変化に応じ、温度管理マップ（図４参照）を参照して最低設定温度を設定するとともに、利用者が空調機１４に設定した設定温度が、設定した最低設定温度より低い場合は、設定温度を最低設定温度に変更して冷房運転し、設定温度が変更後の温度設定可能範囲内の場合には設定温度を自動的に変更せずそのまま維持することで、効果的に空調機１４省エネルギ運転できるという優れた効果を奏する。
さらに、設定した最低設定温度を空調リモコン１５（図１参照）に送信し、空調リモコン１５の最低設定温度を変更する。
空調リモコン１５は、空調コントローラ１２から送信された最低設定温度を新たな最低設定温度に変更する。そして、利用者が設定温度を最低設定温度より低く変更できないようにして、利用者が温度設定可能範囲を超えて設定温度を変更できないように制限する。
【００７７】
また、空調コントローラ１２（図１参照）は、空調機１４（図１参照）を暖房運転するとき、利用者が空調機１４に設定した設定温度が、温度管理マップ（図４参照）を参照して設定した最高設定温度より高い場合は、設定温度を最高設定温度に変更して暖房運転し、設定温度が変更後の温度設定可能範囲内の場合には設定温度を自動的に変更せずそのまま維持することで、効果的に空調機１４を省エネルギ運転できるという優れた効果を奏する。
さらに、設定した最高設定温度を空調リモコン１５（図１参照）に送信し、空調リモコン１５の最高設定温度を変更する。
空調リモコン１５は、空調コントローラ１２から送信された最高設定温度を新たな最高設定温度に変更する。そして、利用者が設定温度を最高設定温度より高く変更できないようにして、利用者が温度設定可能範囲を超えて設定温度を変更できないように制限する。
【００７８】
図５は、本発明の設定温度変更手順を示すフローチャートであり、図６は、本発明の温度管理マップの管理番号を設定する手順を示すフローチャートである。図５、図６を参照して、空調コントローラ１２が居住ゾーンＺｏ（図１参照）の在室人数に応じて、温度設定可能範囲と設定温度を変更する手順（以下、設定温度変更手順と称する）を説明する（適宜図１〜４参照）。
設定温度変更手順は、空調コントローラ１２が実行するプログラムに組み込まれ、例えば、入退室管理コントローラ２２から在室人数が通知されたときに実行するように構成される。
【００７９】
なお、入退室管理コントローラ２２は、定期的に空調コントローラ１２に在室人数を通知する構成であってもよいし、カードリーダ２４から個人情報が伝達されて在室人数を算出したときに、空調コントローラ１２に在室人数を通知する構成であってもよい。
【００８０】
また、以下の説明では、単に居住ゾーンＺｏとしているが、複数の居住ゾーンＺｏ（例えば、図２に示す第１居住ゾーンＺｏ１、第２居住ゾーンＺｏ２、第３居住ゾーンＺｏ３）を有する建造物の場合、各居住ゾーンＺｏに備わる空調機１４のそれぞれに対して設定温度変更手順を実行するように構成される。
この構成によって、空調コントローラ１２は、居住ゾーンＺｏごとの在室人数に応じて、居住ゾーンＺｏに配置される空調機１４および空調リモコン１５ごとに設定温度と温度設定可能範囲を変更できる。
【００８１】
図５に示すように、空調コントローラ１２は、入退室管理コントローラ２２が算出して通知する居住ゾーンＺｏの在室人数に応じて図４の温度管理マップを参照し、在室人数に対応する管理番号を設定する（ステップＳ１）。
【００８２】
空調コントローラ１２は、例えば、図６に示す手順で管理番号を設定する。
空調コントローラ１２は、入退室管理コントローラ２２から通知される在室人数（居住ゾーンＺｏの在室人数）と、現在の管理番号に対応する在室人数とを比較する（ステップＳ１０１）。
具体的に空調コントローラ１２は、居住ゾーンＺｏの在室人数と、現在の管理番号に基づいて温度管理マップから抽出する在室人数と比較する。
【００８３】
そして、空調コントローラ１２は、居住ゾーンＺｏの在室人数と現在の管理番号に対応する在室人数が等しい場合（ステップＳ１０１→Ｙｅｓ）、管理番号を変更しない。
また、居住ゾーンＺｏの在室人数と現在の管理番号に対応する在室人数が等しくない場合（ステップＳ１０１→Ｎｏ）、居住ゾーンＺｏの在室人数が現在の管理番号に対応する在室人数よりも多ければ（ステップＳ１０２→Ｙｅｓ）、管理番号に１を加算し（ステップＳ１０３）、１が加算された管理番号を現在の管理番号として手順をステップＳ１０１に戻す。
なお、図示していないが、居住ゾーンＺｏの在室人数が現在の管理番号に対応する在室人数よりも多いとき（ステップＳ１０２→Ｙｅｓ）、現在の管理番号が最大値であれば、空調コントローラ１２は管理番号に１を加算することなく、現在の管理番号のままとして終了する。
【００８４】
一方、居住ゾーンＺｏの在室人数が現在の管理番号に対応する在室人数よりも少ない場合（ステップＳ１０２→Ｎｏ）、管理番号から１を減算し（ステップＳ１０４）、１が減算された管理番号を現在の管理番号として手順をステップＳ１０１に戻す。
なお、図示していないが、居住ゾーンＺｏの在室人数が現在の管理番号に対応する在室人数よりも少ないとき（ステップＳ１０２→Ｎｏ）、現在の管理番号が最小値であれば、空調コントローラ１２は管理番号から１を減算することなく、現在の管理番号のままとして終了する。
【００８５】
図４に示す温度管理マップのように、管理番号に対応する在室人数が範囲を持って設定されている場合、空調コントローラ１２は、居住ゾーンＺｏの在室人数が在室人数の範囲内であれば、居住ゾーンＺｏの在室人数と、管理番号に対応する在室人数が等しいと判定する。
また、空調コントローラ１２は、居住ゾーンＺｏの在室人数が、管理番号に対応する在室人数の範囲の最大値よりも多いとき、居住ゾーンＺｏの在室人数が現在の管理番号に対応する在室人数よりも多いと判定し、居住ゾーンＺｏの在室人数が、在室人数の範囲の最小値未満のとき、居住ゾーンＺｏの在室人数が現在の管理番号に対応する在室人数よりも少ないと判定する。
【００８６】
以上のように空調コントローラ１２は、入退室管理コントローラ２２から通知される居住ゾーンＺｏの在室人数に対応する管理番号を設定する。
【００８７】
図５に戻って、空調コントローラ１２は管理番号を設定したら（ステップＳ１）、管理番号が変化したか否かを判定する（ステップＳ２）。
例えば、空調コントローラ１２は、設定温度変更手順を開始する前の管理番号と、今回の設定温度変更手順のステップＳ１で設定する管理番号が異なる場合に管理番号が変化したとする。
【００８８】
そして、空調コントローラ１２は、管理番号が変化しなければ（ステップＳ２→Ｎｏ）設定温度変更手順を終了し、管理番号が変化した場合は（ステップＳ２→Ｙｅｓ）、空調機１４の運転モードに応じて設定温度変更手順を進める。
【００８９】
すなわち、空調機１４が冷房運転している場合（ステップＳ３→Ｙｅｓ）、空調コントローラ１２は、設定した管理番号に基づいて温度管理マップを参照し、最低設定温度を設定する（ステップＳ４）。そして、空調機１４に設定されている設定温度が、ステップＳ４で設定した最低設定温度より低ければ（ステップＳ５→Ｙｅｓ）、空調機１４に設定される設定温度を最低設定温度に変更して（ステップＳ６）、さらに、設定した最低設定温度を空調リモコン１５に送信して（ステップＳ７）、設定温度変更手順を終了する。
空調リモコン１５は、利用者が、空調コントローラ１２から送信された最低設定温度より低い設定温度を空調機１４に設定できないように制限する。
【００９０】
一方、空調機１４に設定されている設定温度が最低設定温度以上のときは（ステップＳ５→Ｎｏ）、設定した最低設定温度を空調リモコン１５に送信して（ステップＳ７）、設定温度変更手順を終了する。
【００９１】
また、空調機１４が暖房運転している場合（ステップＳ３→Ｎｏ）、空調コントローラ１２は、温度管理マップを参照して、設定した管理番号に応じた最高設定温度を設定する（ステップＳ８）。そして、空調機１４に設定されている設定温度が、ステップＳ８で設定した最高設定温度より高ければ（ステップＳ９→Ｙｅｓ）、空調機１４に設定される設定温度を最高設定温度に変更して（ステップＳ１０）、さらに、設定した最高設定温度を空調リモコン１５に送信して（ステップＳ１１）、設定温度変更手順を終了する。
空調リモコン１５は、利用者が、空調コントローラ１２から送信された最高設定温度より高い設定温度を空調機１４に設定できないように制限する。
【００９２】
一方、空調機１４に設定されている設定温度が最高設定温度以下のときは（ステップＳ９→Ｎｏ）、設定した最高設定温度を空調リモコン１５に送信して（ステップＳ１１）、設定温度変更手順を終了する。
【００９３】
そして、空調コントローラ１２は、居住ゾーンＺｏの室温が空調機１４に設定された設定温度を維持するように空調機１４を運転する。
【００９４】
以上のように、本実施形態に係る空調管理システム１に備わる空調コントローラ１２（図１参照）は、居住ゾーンＺｏ（図１参照）の在室人数に基づいて、空調機１４（図１参照）が冷房運転しているときは最低設定温度を設定し、暖房運転しているときは最高設定温度を設定することで、在室人数の変化に応じて空調リモコン１５（図１参照）に設けられる温度設定可能範囲を変更することができる。
【００９５】
そして、空調コントローラ１２（図１参照）は、空調機１４（図１参照）を冷房運転する場合、利用者が空調機１４に設定した設定温度が温度設定可能範囲の最低設定温度（下限値）より低いときは、設定温度を最低設定温度に変更して、冷房運転する空調機１４の省エネルギの効果を向上させる。
さらに、空調コントローラ１２は、設定した最低設定温度を空調リモコン１５に送信し、空調リモコン１５は、利用者が最低設定温度より低い設定温度を空調機１４に設定できないように制限して、設定温度が低くなることを回避して、空調機１４の省エネルギの効果を向上させる。
また、空調コントローラ１２は、空調機１４を暖房運転する場合、利用者が空調機１４に設定した設定温度が温度設定可能範囲の最高設定温度（上限値）より高いときは、設定温度を最高設定温度に変更して、暖房運転する空調機１４の省エネルギの効果を向上させる。
さらに、空調コントローラ１２は、設定した最高設定温度を空調リモコン１５に送信し、空調リモコン１５は、利用者が最高設定温度より高い設定温度を空調機１４に設定できないように制限して、設定温度が高くなることを回避して、空調機１４の省エネルギの効果を向上させる。
そして、空調コントローラ１２は、冷房運転および暖房運転のいずれの場合でも、在室人数が増減して温度設定可能範囲の上限値または下限値が変更されたときに、設定温度が変更後の温度設定可能範囲内ならば設定温度を自動的には変更せずにそのまま維持することで、利用者が空調リモコン１５で設定温度を変更するまでの間は省エネルギの効果が得られる。
【００９６】
なお、図４に示す温度管理マップに例示した、管理番号１における冷房運転時の最低設定温度（２８℃）や管理番号６における暖房運転時の最高設定温度（２０℃）は、政府発表の省エネルギ対策に基づく温度を示しているが、これらの温度に限定されるものではなく、居住ゾーンＺｏの環境等に基づいて適宜設定すればよい。
【００９７】
また、温度管理マップは６つの区分を有しているが、これは一例を示しているにすぎず、６つよりも多い区分もしくは６つよりも少ない区分を有していてもよい。
【００９８】
また、在室人数の設定も限定されるものではなく、空調機１４（図１参照）の冷暖房能力や居住ゾーンＺｏ（図１参照）の面積に応じて適宜設定すればよいし、冷房運転時の最低設定温度を設定する在室人数と暖房運転時の最高設定温度を設定する在室人数が異なっていてもよい。
【００９９】
また、温度管理マップ（図４参照）は、予め設定される固定データであってもよいが、設定変更可能なデータであってもよい。
例えば、周囲環境の湿度によっても体感温度が変わることが知られ、湿度が低いときは居住ゾーンＺｏ（図１参照）の室温が高めであっても利用者は快適に感じる。
そこで、例えば、湿度が低い場合は冷房運転時の最低設定温度を高く変更して、空調コントローラ１２（図１参照）が低い冷房能力で空調機１４（図１参照）を冷房運転する構成とすれば、より効果的に空調機１４を省エネルギ運転できる。
この場合、空調コントローラ１２が周囲環境の湿度に基づいて自動的に温度管理マップの設定を変更する構成であってもよいし、管理人等が、例えば、中央監視装置１０（図１参照）を操作して手動で温度管理マップの設定を変更する構成であってもよい。
【０１００】
また、１つの温度管理マップ（図４参照）を有する空調管理システム１（図１参照）であってもよいし、居住ゾーンＺｏごと（例えば、図２に示す、第１居住ゾーンＺｏ１、第２居住ゾーンＺｏ２、第３居住ゾーンＺｏ３ごと）に異なった温度管理マップを有する空調管理システム１であってもよい。
【０１０１】
なお、図１に示す空調管理システム１の空調リモコン１５は、空調機１４に接続されているが、この構成に限定されるものではなく、空調リモコン１５が空調コントローラ１２に接続される構成であってもよい。
【符号の説明】
【０１０２】
１      空調管理システム
２      入退室管理システム
１２    空調コントローラ
１４    空調機
１５    空調リモコン（リモコン）
２２    入退室管理コントローラ
２４    カードリーダ
２６    出入口
１００  総合管理システム
１０１  廊下
Ｚｏ    居住ゾーン
【図１】
2011122768.tif 000003
【図２】
2011122768.tif 000004
【図３】
2011122768.tif 000005
【図４】
2011122768.tif 000006
【図５】
2011122768.tif 000007
【図６】
2011122768.tif 000008